【手続補正書】
【提出日】平成19年8月31日(2007.8.31)
【手続補正１】
【補正対象書類名】特許請求の範囲
【補正対象項目名】全文
【補正方法】変更
【補正の内容】
【特許請求の範囲】
【請求項１】
送信手段によるデータの送信に先立って、前記データのデータサイズの情報を確認する確認要求をユーザインタフェースを介して受け付ける受付手段と、
前記受付手段によって前記確認要求を受け付けた場合、前記データサイズの情報を報知手段により報知した後に前記ユーザインタフェースからの指示で前記データの送信を許可する一方で、
前記受付手段によって前記確認要求を受け付けなかった場合には、前記情報を前記報知手段により報知すること無しに前記ユーザインタフェースからの指示で前記データの送信を許可する制御手段と、
を有することを特徴とするデータ処理システム。
【請求項２】
送信手段を遠隔操作するのに利用するリモートユーザインタフェースからの指示で前記送信手段によるデータの送信を実行するのに先立って、前記データのデータサイズの情報を確認する確認要求を前記リモートユーザインタフェースを介して受け付ける受付手段と、
前記受付手段によって前記確認要求を受け付けた場合、前記データサイズの情報を前記リモートユーザインタフェースの報知手段により報知した後に前記リモートユーザインタフェースからの指示で前記データの送信を許可する一方で、
前記受付手段によって前記確認要求を受け付けなかった場合には、前記情報を前記報知手段により報知すること無しに前記リモートユーザインタフェースからの指示で前記データの送信を許可する制御手段と、
を有することを特徴とするデータ処理システム。
【請求項３】
個別に送信可能な複数のデータを一括送信する送信手段により前記複数のデータを送信するのに先立って、前記複数のデータの合計のデータサイズの情報を確認する確認要求をユーザインタフェースを介して受け付ける受付手段と、
前記受付手段によって前記確認要求を受け付けた場合、前記データサイズの情報を報知手段により報知した後に前記ユーザインタフェースからの指示で前記複数のデータの送信を許可する一方で、
前記受付手段によって前記確認要求を受け付けなかった場合には、前記情報を前記報知手段により報知すること無しに前記ユーザインタフェースからの指示で前記複数のデータの送信を許可する制御手段と、
を有することを特徴とするデータ処理システム。
【請求項４】
個別に送信可能な複数のデータを一括送信する送信手段を遠隔操作するのに利用するリモートユーザインタフェースからの指示で前記送信手段により前記複数のデータを送信するのに先立って、前記複数のデータの合計のデータサイズの情報を確認する確認要求を前記リモートユーザインタフェースを介して受け付ける受付手段と、
前記受付手段によって前記確認要求を受け付けた場合、前記データサイズの情報を報知手段により報知した後に前記リモートユーザインタフェースからの指示で前記複数のデータの送信を許可する一方で、
前記受付手段によって前記確認要求を受け付けなかった場合には、前記情報を前記報知手段により報知すること無しに前記リモートユーザインタフェースからの指示で前記複数のデータの送信を許可する制御手段と、
を有することを特徴とするデータ処理システム。
【請求項５】
送信手段により第１のデータを送信するのに先立って、前記第１のデータのデータサイズの情報を確認する確認要求をユーザインタフェースを介して受け付ける受付手段と、
前記受付手段によって前記確認要求を受け付けた場合に、前記データサイズの情報を報知手段により報知した後に前記ユーザインタフェースからの指示で前記第１のデータよりもデータサイズが小さい第２のデータの送信を許可する一方で、
前記受付手段によって前記確認要求を受け付けなかった場合には、前記情報を前記報知手段により報知すること無しに前記ユーザインタフェースからの指示で前記第１のデータの送信を許可する制御手段と、
を有することを特徴とするデータ処理システム。
【請求項６】
送信手段を遠隔操作するのに利用するリモートユーザインタフェースからの指示で前記送信手段により第１のデータを送信するのに先立って、前記第１のデータのデータサイズの情報を確認する確認要求を前記リモートユーザインタフェースを介して受け付ける受付手段と、
前記受付手段によって前記確認要求を受け付けた場合に、前記データサイズの情報を前記リモートユーザインタフェースの報知手段により報知した後に前記リモートユーザインタフェースからの指示で前記第１のデータよりもデータサイズが小さい第２のデータの送信を許可する一方で、
前記受付手段によって前記確認要求を受け付けなかった場合には、前記情報を前記報知手段により報知すること無しに前記ユーザインタフェースからの指示で前記１のデータの送信を許可する制御手段と、
を有することを特徴とするデータ処理システム。
【請求項７】
請求項５又は６に記載のデータ処理システムであって、
前記制御手段は、
前記第１のデータのデータサイズの情報を前記報知手段により報知した後に前記第２のデータのデータサイズの情報を確認する確認要求をあらためて前記受付手段が受け付けたことで前記第２のデータのデータサイズの情報を前記報知手段が報知した後に、前記指示で前記第２のデータの送信を許可することを特徴とするデータ処理システム。
【請求項８】
請求項５又は６に記載のデータ処理システムであって、
前記制御手段は、
前記第１のデータのデータサイズの情報と前記第２のデータのデータサイズの情報の両方を確認する確認要求を前記受付手段が受け付けたことで前記両方のデータサイズの情報を前記報知手段が報知した後に、前記指示で前記第２のデータの送信を許可することを特徴とするデータ処理システム。
【請求項９】
請求項１、３、５の何れか１項に記載のデータ処理システムであって、
前記制御手段は、前記送信手段を有する情報処理装置に具備されることを特徴とするデータ処理システム。
【請求項１０】
請求項９記載のデータ処理システムであって、
前記情報処理装置はデジタルカメラであることを特徴とするデータ処理システム。
【請求項１１】
請求項２、４、６乃至８の何れか１項に記載のデータ処理システムであって、
前記制御手段は、前記リモートユーザインタフェースを提供する情報処理装置に具備されることを特徴とするデータ処理システム。
【請求項１２】
請求項１１記載のデータ処理システムであって、
前記情報処理装置は無線通信可能な携帯情報端末であることを特徴とするデータ処理システム。
【請求項１３】
請求項１乃至１２の何れか１項に記載のデータ処理システムであって、
前記制御手段は、
前記受付手段によって前記確認要求を受け付けなかった場合に、前記情報の報知に先立って計測手段が行うデータサイズの計測処理を行うこと無しに前記送信手段によるデータの送信を許可することを特徴とするデータ処理システム。
【請求項１４】
請求項１乃至１３の何れか１項に記載のデータ処理システムであって、
前記送信手段は、
印刷手段による印刷にも利用される画像データから送信処理条件に従って生成するデータを送信し、
前記制御手段は、
前記送信手段を利用するための送信機能の選択要求を受け付けた場合には前記受付手段による前記確認要求の受付を可能とする一方で、
前記印刷手段による印刷のための印刷機能の選択要求を受け付けた場合には前記確認要求を不可とするよう制御することを特徴とするデータ処理システム。
【請求項１５】
請求項１乃至１４の何れか１項に記載のデータ処理システムであって、
前記報知手段は、前記データは如何なる送信処理条件に基づいて生成されたものなのかをユーザが確認できる情報と共に前記データのデータサイズの情報を報知することを特徴とするデータ処理システム。
【請求項１６】
請求項１４又は１５に記載のデータ処理システムであって、
前記報知手段によるデータサイズの情報の報知後に受け付けた前記指示が送信をキャンセルする指示である場合、
前記制御手段は、
前記画像データを記憶手段から削除せずに前記送信手段が前記画像データから生成した前記データを削除するよう制御すると共に、
前記データとは異なるデータサイズのデータを前記送信手段があらためて前記画像データから生成できるように制御し、
前記送信手段が再度前記画像データから生成したデータのデータサイズの情報を確認する確認要求をあらためて受け付けられるように制御することを特徴とするデータ処理システム。
【請求項１７】
請求項１４乃至１６の何れか１項に記載のデータ処理システムであって、
前記画像データは、撮像手段によって撮像された画像データであることを特徴とするデータ処理システム。
【請求項１８】
請求項１乃至１７の何れか１項に記載のデータ処理システムであって、
前記報知手段は、前記情報を音声出力で報知することを特徴とするデータ処理システム。
【請求項１９】
送信手段によるデータの送信に先立って、前記データのデータサイズの情報を確認する確認要求をユーザインタフェースを介して受け付ける受付工程と、
前記確認要求を受け付けた場合に、前記データサイズの情報を報知手段により報知した後に前記ユーザインタフェースからの指示で前記データの送信を許可する一方で、
前記確認要求を受け付けなかった場合には、前記情報を前記報知手段により報知すること無しに前記ユーザインタフェースからの指示で前記データの送信を許可する制御工程と、
を有することを特徴とするデータ処理方法。
【請求項２０】
送信手段を遠隔操作するのに利用するリモートユーザインタフェースからの指示で前記送信手段によるデータの送信を実行するのに先立って、前記データのデータサイズの情報を確認する確認要求を前記リモートユーザインタフェースを介して受け付ける受付工程と、
前記確認要求を受け付けた場合に、前記データサイズの情報を前記リモートユーザインタフェースの報知手段により報知した後に前記リモートユーザインタフェースからの指示で前記データの送信を許可する一方で、
前記確認要求を受け付けなかった場合には、前記情報を前記報知手段により報知すること無しに前記リモートユーザインタフェースからの指示で前記データの送信を許可する制御工程と、
を有することを特徴とするデータ処理方法。
【請求項２１】
個別に送信可能な複数のデータを一括送信する送信手段により前記複数のデータを送信するのに先立って、前記複数のデータの合計のデータサイズの情報を確認する確認要求をユーザインタフェースを介して受け付ける受付工程と、
前記確認要求を受け付けた場合に、前記データサイズの情報を報知手段により報知した後に前記ユーザインタフェースからの指示で前記複数のデータの送信を許可する一方で、
前記確認要求を受け付けなかった場合には、前記情報を前記報知手段により報知すること無しに前記ユーザインタフェースからの指示で前記複数のデータの送信を許可する制御工程と、
を有することを特徴とするデータ処理方法。
【請求項２２】
個別に送信可能な複数のデータを一括送信する送信手段を遠隔操作するのに利用するリモートユーザインタフェースからの指示で前記送信手段により前記複数のデータを送信するのに先立って、前記複数のデータの合計のデータサイズの情報を確認する確認要求を前記リモートユーザインタフェースを介して受け付ける受付工程と、
前記確認要求を受け付けた場合に、前記データサイズの情報を報知手段により報知した後に前記リモートユーザインタフェースからの指示で前記複数のデータの送信を許可する一方で、
前記確認要求を受け付けなかった場合には、前記情報を前記報知手段により報知すること無しに前記リモートユーザインタフェースからの指示で前記複数のデータの送信を許可する制御工程と、
を有することを特徴とするデータ処理方法。
【請求項２３】
送信手段により第１のデータを送信するのに先立って、前記第１のデータのデータサイズの情報を確認する確認要求をユーザインタフェースを介して受け付ける受付工程と、
前記確認要求を受け付けた場合に、前記データサイズの情報を報知手段により報知した後に前記ユーザインタフェースからの指示で前記第１のデータよりもデータサイズが小さい第２のデータの送信を許可する一方で、
前記確認要求を受け付けなかった場合には、前記情報を前記報知手段により報知すること無しに前記ユーザインタフェースからの指示で前記第１のデータの送信を許可する制御工程と、
を有することを特徴とするデータ処理方法。
【請求項２４】
送信手段を遠隔操作するのに利用するリモートユーザインタフェースからの指示で前記送信手段により第１のデータを送信するのに先立って、前記第１のデータのデータサイズの情報を確認する確認要求を前記リモートユーザインタフェースを介して受け付ける受付工程と、
前記確認要求を受け付けた場合に、前記データサイズの情報を前記リモートユーザインタフェースの報知手段により報知した後に前記リモートユーザインタフェースからの指示で前記第１のデータよりもデータサイズが小さい第２のデータの送信を許可する一方で、
前記確認要求を受け付けなかった場合には、前記情報を前記報知手段により報知すること無しに前記ユーザインタフェースからの指示で前記１のデータの送信を許可する制御工程と、
を有することを特徴とするデータ処理方法。
【請求項２５】
請求項１９乃至２４の何れか１項に記載のデータ処理方法をコンピュータに実行させるためのコンピュータ読取可能な記憶媒体。
【請求項２６】
請求項１９乃至２４の何れか１項に記載のデータ処理方法をコンピュータに実行させるためのコンピュータ実行可能なプログラム。
【請求項２７】
請求項１９乃至２４の何れか１項に記載のデータ処理方法を実行することを特徴とする情報処理装置。
【手続補正２】
【補正対象書類名】明細書
【補正対象項目名】発明の名称
【補正方法】変更
【補正の内容】
【発明の名称】データ処理システム、その制御方法、記録媒体、プログラム及び情報処理装置
【手続補正３】
【補正対象書類名】明細書
【補正対象項目名】０００１
【補正方法】変更
【補正の内容】
【０００１】
本発明は、複数のデータを記憶可能な記憶手段のデータの出力処理が可能な装置を含んだデータ処理システム、その制御方法、記録媒体、プログラム及び情報処理装置に関する。
【手続補正４】
【補正対象書類名】明細書
【補正対象項目名】００１０
【補正方法】変更
【補正の内容】
【００１０】
上記目的を達成する為に、本発明は、例えば、データ処理システムとして実現できる。データ処理システムは、送信手段によるデータの送信に先立って、データのデータサイズの情報を確認する確認要求をユーザインタフェースを介して受け付ける受付手段と、受付手段によって確認要求を受け付けた場合、データサイズの情報を報知手段により報知した後にユーザインタフェースからの指示でデータの送信を許可する一方で、受付手段によって確認要求を受け付けなかった場合には、情報を報知手段により報知すること無しにユーザインタフェースからの指示でデータの送信を許可する制御手段と、を有することを特徴とする。
【手続補正５】
【補正対象書類名】明細書
【補正対象項目名】００１１
【補正方法】変更
【補正の内容】
【００１１】
又、上記目的を達成する為に、本発明は、例えば、データ処理システムとして実現できる。データ処理システムは、送信手段を遠隔操作するのに利用するリモートユーザインタフェースからの指示で送信手段によるデータの送信を実行するのに先立って、データのデータサイズの情報を確認する確認要求をリモートユーザインタフェースを介して受け付ける受付手段と、受付手段によって確認要求を受け付けた場合、データサイズの情報をリモートユーザインタフェースの報知手段により報知した後にリモートユーザインタフェースからの指示でデータの送信を許可する一方で、受付手段によって確認要求を受け付けなかった場合には、情報を報知手段により報知すること無しにリモートユーザインタフェースからの指示でデータの送信を許可する制御手段と、を有することを特徴とする。
【手続補正６】
【補正対象書類名】明細書
【補正対象項目名】００１２
【補正方法】変更
【補正の内容】
【００１２】
又、上記目的を達成する為に、本発明は、例えば、データ処理システムとして実現できる。データ処理システムは、個別に送信可能な複数のデータを一括送信する送信手段により複数のデータを送信するのに先立って、複数のデータの合計のデータサイズの情報を確認する確認要求をユーザインタフェースを介して受け付ける受付手段と、受付手段によって確認要求を受け付けた場合、データサイズの情報を報知手段により報知した後にユーザインタフェースからの指示で複数のデータの送信を許可する一方で、受付手段によって確認要求を受け付けなかった場合には、情報を報知手段により報知すること無しにユーザインタフェースからの指示で複数のデータの送信を許可する制御手段と、を有することを特徴とする。
【手続補正７】
【補正対象書類名】明細書
【補正対象項目名】００１３
【補正方法】変更
【補正の内容】
【００１３】
又、上記目的を達成する為に、本発明は、例えば、データ処理システムとして実現できる。データ処理システムは、個別に送信可能な複数のデータを一括送信する送信手段を遠隔操作するのに利用するリモートユーザインタフェースからの指示で送信手段により複数のデータを送信するのに先立って、複数のデータの合計のデータサイズの情報を確認する確認要求をリモートユーザインタフェースを介して受け付ける受付手段と、受付手段によって確認要求を受け付けた場合、データサイズの情報を報知手段により報知した後にリモートユーザインタフェースからの指示で複数のデータの送信を許可する一方で、受付手段によって確認要求を受け付けなかった場合には、情報を報知手段により報知すること無しにリモートユーザインタフェースからの指示で複数のデータの送信を許可する制御手段と、を有することを特徴とする。
【手続補正８】
【補正対象書類名】明細書
【補正対象項目名】００１４
【補正方法】変更
【補正の内容】
【００１４】
又、上記目的を達成する為に、本発明は、例えば、データ処理システムとして実現できる。データ処理システムは、送信手段により第１のデータを送信するのに先立って、第１のデータのデータサイズの情報を確認する確認要求をユーザインタフェースを介して受け付ける受付手段と、受付手段によって確認要求を受け付けた場合に、データサイズの情報を報知手段により報知した後にユーザインタフェースからの指示で第１のデータよりもデータサイズが小さい第２のデータの送信を許可する一方で、受付手段によって確認要求を受け付けなかった場合には、情報を報知手段により報知すること無しにユーザインタフェースからの指示で第１のデータの送信を許可する制御手段と、を有することを特徴とする。
【手続補正９】
【補正対象書類名】明細書
【補正対象項目名】００１５
【補正方法】変更
【補正の内容】
【００１５】
又、上記目的を達成する為に、本発明は、例えば、データ処理システムとして実現できる。データ処理システムは、送信手段を遠隔操作するのに利用するリモートユーザインタフェースからの指示で送信手段により第１のデータを送信するのに先立って、第１のデータのデータサイズの情報を確認する確認要求をリモートユーザインタフェースを介して受け付ける受付手段と、受付手段によって確認要求を受け付けた場合に、データサイズの情報をリモートユーザインタフェースの報知手段により報知した後にリモートユーザインタフェースからの指示で第１のデータよりもデータサイズが小さい第２のデータの送信を許可する一方で、受付手段によって確認要求を受け付けなかった場合には、情報を報知手段により報知すること無しにユーザインタフェースからの指示で１のデータの送信を許可する制御手段と、を有することを特徴とする。
【手続補正１０】
【補正対象書類名】明細書
【補正対象項目名】００１６
【補正方法】変更
【補正の内容】
【００１６】
又、上記目的を達成する為に、本発明は、例えば、データ処理方法として実現できる。データ処理方法は、送信手段によるデータの送信に先立って、データのデータサイズの情報を確認する確認要求をユーザインタフェースを介して受け付ける受付工程と、確認要求を受け付けた場合に、データサイズの情報を報知手段により報知した後にユーザインタフェースからの指示でデータの送信を許可する一方で、確認要求を受け付けなかった場合には、情報を報知手段により報知すること無しにユーザインタフェースからの指示でデータの送信を許可する制御工程と、を有することを特徴とする。
【手続補正１１】
【補正対象書類名】明細書
【補正対象項目名】００１７
【補正方法】変更
【補正の内容】
【００１７】
又、上記目的を達成する為に、本発明は、例えば、データ処理方法として実現できる。データ処理方法は、送信手段を遠隔操作するのに利用するリモートユーザインタフェースからの指示で送信手段によるデータの送信を実行するのに先立って、データのデータサイズの情報を確認する確認要求をリモートユーザインタフェースを介して受け付ける受付工程と、確認要求を受け付けた場合に、データサイズの情報をリモートユーザインタフェースの報知手段により報知した後にリモートユーザインタフェースからの指示でデータの送信を許可する一方で、確認要求を受け付けなかった場合には、情報を報知手段により報知すること無しにリモートユーザインタフェースからの指示でデータの送信を許可する制御工程と、を有することを特徴とする。
【手続補正１２】
【補正対象書類名】明細書
【補正対象項目名】００１８
【補正方法】変更
【補正の内容】
【００１８】
又、上記目的を達成する為に、本発明は、例えば、データ処理方法として実現できる。データ処理方法は、個別に送信可能な複数のデータを一括送信する送信手段により複数のデータを送信するのに先立って、複数のデータの合計のデータサイズの情報を確認する確認要求をユーザインタフェースを介して受け付ける受付工程と、確認要求を受け付けた場合に、データサイズの情報を報知手段により報知した後にユーザインタフェースからの指示で複数のデータの送信を許可する一方で、確認要求を受け付けなかった場合には、情報を報知手段により報知すること無しにユーザインタフェースからの指示で複数のデータの送信を許可する制御工程と、を有することを特徴とする。
【手続補正１３】
【補正対象書類名】明細書
【補正対象項目名】００１９
【補正方法】変更
【補正の内容】
【００１９】
又、上記目的を達成する為に、本発明は、例えば、データ処理方法として実現できる。データ処理方法は、個別に送信可能な複数のデータを一括送信する送信手段を遠隔操作するのに利用するリモートユーザインタフェースからの指示で送信手段により複数のデータを送信するのに先立って、複数のデータの合計のデータサイズの情報を確認する確認要求をリモートユーザインタフェースを介して受け付ける受付工程と、確認要求を受け付けた場合に、データサイズの情報を報知手段により報知した後にリモートユーザインタフェースからの指示で複数のデータの送信を許可する一方で、確認要求を受け付けなかった場合には、情報を報知手段により報知すること無しにリモートユーザインタフェースからの指示で複数のデータの送信を許可する制御工程と、を有することを特徴とする。
【手続補正１４】
【補正対象書類名】明細書
【補正対象項目名】００２０
【補正方法】変更
【補正の内容】
【００２０】
又、上記目的を達成する為に、本発明は、例えば、データ処理方法として実現できる。データ処理方法は、送信手段により第１のデータを送信するのに先立って、第１のデータのデータサイズの情報を確認する確認要求をユーザインタフェースを介して受け付ける受付工程と、確認要求を受け付けた場合に、データサイズの情報を報知手段により報知した後にユーザインタフェースからの指示で第１のデータよりもデータサイズが小さい第２のデータの送信を許可する一方で、確認要求を受け付けなかった場合には、情報を報知手段により報知すること無しにユーザインタフェースからの指示で第１のデータの送信を許可する制御工程と、を有することを特徴とする。
【手続補正１５】
【補正対象書類名】明細書
【補正対象項目名】００２１
【補正方法】変更
【補正の内容】
【００２１】
又、上記目的を達成する為に、本発明は、例えば、データ処理方法として実現できる。データ処理方法は、送信手段を遠隔操作するのに利用するリモートユーザインタフェースからの指示で送信手段により第１のデータを送信するのに先立って、第１のデータのデータサイズの情報を確認する確認要求をリモートユーザインタフェースを介して受け付ける受付工程と、確認要求を受け付けた場合に、データサイズの情報をリモートユーザインタフェースの報知手段により報知した後にリモートユーザインタフェースからの指示で第１のデータよりもデータサイズが小さい第２のデータの送信を許可する一方で、確認要求を受け付けなかった場合には、情報を報知手段により報知すること無しにユーザインタフェースからの指示で１のデータの送信を許可する制御工程と、を有することを特徴とする。
【手続補正１６】
【補正対象書類名】明細書
【補正対象項目名】００２２
【補正方法】削除
【補正の内容】
【手続補正１７】
【補正対象書類名】明細書
【補正対象項目名】００２３
【補正方法】削除
【補正の内容】
【手続補正１８】
【補正対象書類名】明細書
【補正対象項目名】００２４
【補正方法】変更
【補正の内容】
【００２４】
本発明によれば、例えば、データ送信機能を有する情報処理装置（例えば、デジタル複合機やデジタルカメラやスキャナ装置など）から送信対象となるデータのデータサイズをユーザが事前に確認することができ、例えば、カラーデータやページ数が多い場合等の送信データのデータ量が大きい場合に起こり得る問題を未然に防止でき、従来技術で指摘したような問題に対処できる等の効果を奏すると共に、該データ送信機能を利用する場合であっても一律的に必ずデータサイズの情報をユーザに提示することなく、ユーザからの意思を尊重し、ユーザからリクエストがあれば提示するように構成することで、ユーザからの幅広いニーズに対応した使い勝手のよい装置、システム環境を提供できる。